(57)【要約】【課題】レンズ鏡筒の小型化を図りつつ、バリア羽根の全閉状態を確実に維持することができる仕組みを提供する。【解決手段】レンズ鏡筒は、バリア羽根を閉じる際には、まず、バリア駆動リングの傾斜角度の小さい傾斜カム面６１ａ１が直進筒４９の傾斜カム面４９ａ１に沿って傾斜カム面４９ａ２側に摺動することで、バリア駆動リング６１が回転する。その後、バリア駆動リング６１の傾斜角度が大きい傾斜カム面６１ａ２が直進筒４９の傾斜カム面４９ａ２に沿って摺動し、傾斜カム面６１ａ２と傾斜カム面４９ａ２とが図６（ｂ）に示す係合状態となるまでバリア駆動リング６１が回転して停止する。このとき、バリア羽根６０が全閉状態となる。【選択図】図６
2013156532.tif 000002
【特許請求の範囲】
【請求項１】
レンズの被写体側に開閉動作が可能に配置されるバリア羽根と、
回転することで前記バリア羽根を開閉動作させ、光軸方向に延びる第１のカム片が設けられたバリア駆動リングと、
光軸方向に延びる第２のカム片が前記第１のカム片に対して光軸方向に対向して設けられ、前記第２のカム片が前記第１のカム片と摺動することで前記バリア駆動リングを駆動する駆動部材と、を備え、
前記第１のカム片、及び前記第２のカム片の少なくとも一方のカム片には、互いに傾斜角度が異なる複数の前記傾斜カム面が先端側から基端側に向けて連続して形成されることを特徴とするレンズ鏡筒。
【請求項２】
前記第１のカム片に、光軸と直交する線に対して傾斜する傾斜カム面が形成され、
前記第２のカム片に、前記第１のカム片の前記傾斜カム面に光軸方向に係合する傾斜カム面が形成され、
前記第１のカム片の前記傾斜カム面が前記第２のカム片の先端側から基端側に向けて前記第２のカム片の前記傾斜カム面に沿って係合しながら摺動することにより、前記バリア駆動リングが前記バリア羽根を閉じる方向に回転することを特徴とする請求項１に記載のレンズ鏡筒。
【請求項３】
前記第１のカム片、及び前記第２のカム片の少なくとも一方のカム片には、互いに傾斜角度が異なる複数の前記傾斜カム面が先端側から基端側に向けて連続して形成され、
互いに傾斜角度が異なる複数の前記傾斜カム面のうちの前記先端側の傾斜カム面の光軸と直交する線に対する傾斜角度は、前記基端側の傾斜カム面の光軸と直交する線に対する傾斜角度より小さく設定されていることを特徴とする請求項２に記載のレンズ鏡筒。
【請求項４】
前記摺動する距離は、互いに傾斜角度が異なる複数の前記傾斜カム面のうちの前記先端側の傾斜カム面の方が前記基端側の傾斜カム面より長く設定されていることを特徴とする請求項３に記載のレンズ鏡筒。
【請求項５】
レンズ鏡筒を備える撮像装置であって、前記レンズ鏡筒として、請求項１ないし４の何れか１項に記載のレンズ鏡筒を備えることを特徴とする撮像装置。
【発明の詳細な説明】
【技術分野】
【０００１】
本発明は、レンズを保護するバリア機構を有するレンズ鏡筒、及びレンズ鏡筒を備えるデジタルカメラ等の撮像装置に関する。
【背景技術】
【０００２】
デジタルカメラ等に搭載されるレンズ鏡筒として、ズーム動作に連動してバリア羽根を開閉動作するバリア機構を有するものがある。
【０００３】
例えば、固定部材に形成した傾斜カム面にバリア駆動リングに形成した傾斜カム面をカム係合させてバリア駆動リングを回転させることで、バリア羽根を開閉動作させるバリア機構を有するレンズ鏡筒が提案されている（特許文献１）。
【先行技術文献】
【特許文献】
【０００４】
【特許文献１】特開２００６−１３３６８２号公報
【発明の概要】
【発明が解決しようとする課題】
【０００５】
ところで、上記特許文献１では、図７に示すように、固定部材１０３の傾斜カム面１０３ａ及びバリア駆動リング１０１の傾斜カム面１０１ａは、一定の傾斜角度で形成されている。
【０００６】
この場合、バリア駆動リング１０１の回転角度αは決まっているため、傾斜カム面１０１ａ，１０３ａの光軸と直交する線に対する傾斜角度が大きいほど、バリア駆動リング１０１の光軸方向の移動量β（ａ）が大きくなり、レンズ鏡筒の大型化を招く。
【０００７】
一方、図８に示すように、傾斜カム面１０１ａ，１０３ａの光軸と直交する線に対する傾斜角度を小さくすると、バリア駆動リング１０１の光軸方向の移動量β（ｂ）が小さくなり、レンズ鏡筒の小型化が可能となる。
【０００８】
しかし、傾斜カム面１０１ａ，１０３ａの傾斜角度を小さくすると、製造誤差等でバリア羽根の閉じ時の固定部材１０３とバリア駆動リング１０１との光軸方向の距離にずれが生じた場合、バリア駆動リング１０１の回転位置にずれが生じるおそれがある。この場合、バリア羽根の全閉状態を維持することができなくなる。
【０００９】
そこで、本発明は、レンズ鏡筒の小型化を図りつつ、バリア羽根の全閉状態を確実に維持することができる仕組みを提供することを目的とする。
【課題を解決するための手段】
【００１０】
上記目的を達成するために、本発明のレンズ鏡筒は、レンズの被写体側に開閉動作が可能に配置されるバリア羽根と、回転することで前記バリア羽根を開閉動作させ、光軸方向に延びる第１のカム片が設けられたバリア駆動リングと、光軸方向に延びる第２のカム片が前記第１のカム片に対して光軸方向に対向して設けられ、前記第２のカム片が前記第１のカム片と摺動することで前記バリア駆動リングを駆動する駆動部材とを備え、前記第１のカム片、及び前記第２のカム片の少なくとも一方のカム片には、互いに傾斜角度が異なる複数の前記傾斜カム面が先端側から基端側に向けて連続して形成されることを特徴とする。
【発明の効果】
【００１１】
本発明によれば、レンズ鏡筒の小型化を図りつつ、バリア羽根の全閉状態を確実に維持することができる。
【図面の簡単な説明】
【００１２】
【図１】本発明の撮像装置の実施形態の一例であるデジタルカメラを正面側（被写体側）から見た概略図である。
【図２】レンズ鏡筒の光軸方向に沿う断面図である。
【図３】レンズ鏡筒が収納位置（沈胴位置）にあるときのバリア機構をカメラ本体の正面側から見た図である。
【図４】レンズ鏡筒が収納位置と繰り出し完了位置との間にあるときのバリア機構をカメラ本体の正面側から見た図である。
【図５】レンズ鏡筒が繰り出し完了位置にあるときのバリア機構をカメラ本体の正面側から見た図である。
【図６】（ａ）はバリア羽根の開き状態でのバリア駆動リングの傾斜カム面と直進筒の傾斜カム面との係合状態を模式的に示す展開図、（ｂ）はバリア羽根の閉じ状態でのバリア駆動リングの傾斜カム面と直進筒の傾斜カム面との係合状態を模式的に示す展開図である。
【図７】従来例を説明するための図である。
【図８】従来例を説明するための図である。
【発明を実施するための形態】
【００１３】
以下、本発明の実施形態の一例を図面を参照して説明する。
【００１４】
図１は、本発明の撮像装置の実施形態の一例であるデジタルカメラを正面側（被写体側）から見た概略図である。
【００１５】
図１に示すように、本実施形態のデジタルカメラは、カメラ本体１の正面側にレンズ鏡筒１０が設けられている。カメラ本体１を正面側から見てレンズ鏡筒１０の左側には、電池ボックス２が設けられ、レンズ鏡筒１０の上側には、光学ファインダ１３及びストロボユニット３が設けられている。
【００１６】
また、カメラ本体１を正面側から見てレンズ鏡筒１０の右側には、フォーカス駆動部１２、及びストロボユニット３に給電するコンデンサ４が設けられ、レンズ鏡筒１０の下側には、三脚取付部５、及びズーム駆動部１１が設けられている。
【００１７】
図２は、レンズ鏡筒１０の光軸方向に沿う断面図である。
【００１８】
図２に示すように、レンズ鏡筒１０は、１群鏡筒３１、２群鏡筒３２、移動カム環４５、直進筒４９、駆動環４６、固定筒４７、及びベース部材４４を備える。また、レンズ鏡筒１０は、フォーカスレンズ２３を保持する３群レンズホルダ４３を備える。
【００１９】
１群鏡筒３１は、１群レンズ２１を保持する１群レンズホルダ４１、及びバリア機構を有する。バリア機構は、１群レンズ２１の被写体側に開閉動作が可能に配置され、閉じ状態で１群レンズ２１を覆って保護する一対のバリア羽根６０と、回転することで、一対のバリア羽根６０を開閉動作させるバリア駆動リング６１とを有する。
【００２０】
２群鏡筒３２は、２群レンズ２２を保持する２群レンズホルダ４２を有する。２群レンズホルダ４２には、不図示のシャッター機構や絞り機構が取り付けられ、シャッター機構や絞り機構には、フレキシブルプリント基板４８を介して電力が供給される。
【００２１】
移動カム環４５は、１群鏡筒３１及び２群鏡筒３２を光軸ｚに沿って移動可能に保持する。移動カム環４５の内周部には、カム溝４５ａ，４５ｂが形成されており、カム溝４５ａ，４５ｂには、１群鏡筒３１及び２群鏡筒３２の外周部に設けられた不図示のカムフォロワピンがカム係合する。また、移動カム環４５の外周部には、カムフォロワピン４５ｄ設けられており、カムフォロワピン４５ｄは、固定筒４７の内周部に形成されたカム溝にカム係合する。
【００２２】
直進筒４９は、移動カム環４５に対して相対回転可能に保持され、１群鏡筒３１及び２群鏡筒３２の回転を規制する。また、直進筒４９は、固定筒４７の内周部に形成された直進溝にキー結合して回転が規制されている。
【００２３】
駆動環４６は、ズーム駆動部１１により回転駆動され、移動カム環４５の外周部に設けられた駆動ピン４５ｃが駆動環４６の内周部に形成された直進溝４６ｅに係合することで、駆動環４６の回転を移動カム環４５へ伝達する。駆動環４６は、固定筒４７の外周側に回転可能に保持されており、光軸方向への移動は、固定筒４７によって規制されている。
【００２４】
ベース部材４４は、固定筒４７を取り付ける基台であり、撮像素子２４や光学ファインダ１３を保持する。
【００２５】
次に、レンズ鏡筒１０の動作例を説明する。
【００２６】
ズーム駆動部によって駆動環４６が回転されると、駆動環４６の直進溝４６ｅが移動カム環４５の駆動ピン４５ｃに係合しているため、移動カム環４５が駆動環４６と一体に回転する。
【００２７】
また、移動カム環４５のカム溝４５ａ，４５ｂには、１群鏡筒３１及び２群鏡筒３２のカムフォロワピンがカム係合し、１群鏡筒３１及び２群鏡筒３２は、直進筒４９により回転が規制されている。
【００２８】
従って、移動カム環４５が回転すると、１群鏡筒３１及び２群鏡筒３２は、移動カム環のカム溝４５ａ，４５ｂのカムリフトに沿って光軸方向に移動する。これにより、１群レンズ２１と２群レンズ２２とを光軸方向の所定の位置に配置してズーム動作を行うことが可能となる。
【００２９】
次に、図３〜図５を参照して、一対のバリア羽根６０の開閉動作について説明する。
【００３０】
図３はレンズ鏡筒１０が収納位置（沈胴位置）にあるときのバリア機構をカメラ本体１の正面側から見た図、図４はレンズ鏡筒１０が収納位置と繰り出し完了位置との間にあるときのバリア機構をカメラ本体１の正面側から見た図である。図５は、レンズ鏡筒１０が繰り出し完了位置にあるときのバリア機構をカメラ本体１の正面側から見た図である。
【００３１】
図３に示すように、バリア羽根６０及びバリア駆動リング６１には、それぞれ突起６０ａ及び突起６１ａが設けられており、バリア羽根６０が開閉動作する際には、突起６０ａ，６１ａ同士が当接してバリア駆動リング６１の回転をバリア羽根６０に伝達する。
【００３２】
図３の状態では、突起６０ａと突起６１ａとは離れており、この状態でバリア駆動リング６１が図の反時計周り方向に回転すると、図４に示すように、突起６０ａと突起６１ａとが当接する。
【００３３】
図４の状態から更にバリア駆動リング６１が反時計周り方向に回転すると、バリア羽根６０の突起６０ａがバリア駆動リング６１の突起６１ａに同方向に押されて不図示の回転軸を中心に開く方向に回転を始める。
【００３４】
そして、バリア駆動リング６１の反時計周り方向の回転が完了すると、図５に示すように、バリア羽根６０が全開状態となり、撮影を行うことが可能となる。
【００３５】
ここで、バリア駆動リング６１とバリア羽根６０との間には引っ張りバネ６２が掛かっており、バリア羽根６０は、常に閉じる方向に付勢されている。また、同時に、引っ張りバネ６２によって、バリア駆動リング６１には、常に反時計周り方向に回転する力が加わっている。
【００３６】
図３の状態では、引っ張りバネ６２の付勢力に抗してバリア駆動リング６１を時計周り方向に回転させる力が加わり、その結果、バリア駆動リング６１の突起６１ａとバリア羽根６０の突起６０ａが離れた状態になっている。このとき、引っ張りバネ６２は、オーバーチャージされた状態になっている。
【００３７】
すなわち、レンズ鏡筒１０の繰り出し時には、引っ張りバネ６２の付勢力によってバリア駆動リング６１が反時計周り方向に回転してバリア羽根６０が開く。一方、レンズ鏡筒１０の繰り込み時には、引っ張りバネ６２の付勢力に抗してバリア駆動リング６１が時計周り方向に回転し、バリア羽根６０は、引っ張りバネ６２の付勢力により閉じ方向に回転する。
【００３８】
本実施形態では、図６に示すように、バリア駆動リング６１の傾斜カム面６１ａ１，６１ａ２と直進筒４９の傾斜カム面４９ａ１，４９ａ２とを光軸方向に係合させることでバリア駆動リング６１を引っ張りバネ６２の付勢力に抗して時計周り方向に回転させる。
【００３９】
図６（ａ）は、バリア羽根６０の開き状態でのバリア駆動リング６１の傾斜カム面６１ａ１と直進筒４９の傾斜カム面４９ａ１との係合状態を模式的に示す展開図である。図６（ｂ）は、バリア羽根６０の閉じ状態でのバリア駆動リング６１の傾斜カム面６１ａ２と直進筒４９の傾斜カム面４９ａ２との係合状態を模式的に示す展開図である。なお、バリア駆動リング６１の回転角度αは、図７及び図８で説明したバリア駆動リング１０１の回転角度αと同一としている。
【００４０】
図６に示すように、直進筒４９には、光軸方向に延びるカム片４９ａが形成され、バリア駆動リング６１には、光軸方向に延びるカム片６１ａがカム片４９ａに対して光軸方向に対向して形成されている。ここで、カム片６１ａは、本発明の第１のカム片の一例に相当し、カム片４９ａは、本発明の第２のカム片の一例に相当し、直進筒４９は、本発明の駆動部材の一例に相当する。
【００４１】
直進筒４９のカム片４９ａには、傾斜カム面４９ａ１及び傾斜カム面４９ａ２が先端側から基端側に向けて連続して形成されている。また、バリア駆動リング６１のカム片６１ａには、傾斜カム面４９ａ１及び傾斜カム面４９ａ２に対してそれぞれ光軸方向に係合可能な傾斜カム面６１ａ１及び傾斜カム面６１ａ２が先端側から基端側に向けて連続して形成されている。
【００４２】
ここで、傾斜カム面４９ａ１、及び傾斜カム面４９ａ１に光軸方向に係合する傾斜カム面６１ａ１の光軸と直交する線に対する傾斜角度は、比較的小さく設定されている。また、傾斜カム面４９ａ２、及び傾斜カム面４９ａ２に光軸方向に係合する傾斜カム面６１ａ２の光軸と直交する線に対する傾斜角度は、比較的大きく設定されている。
【００４３】
そして、バリア羽根６０を閉じる際には、まず、バリア駆動リング６１の傾斜カム面６１ａ１が直進筒４９の傾斜カム面４９ａ１に沿って傾斜カム面４９ａ２側に摺動することで、バリア駆動リング６１が引っ張りバネ６２の付勢力に抗して時計周り方向に回転する。
【００４４】
その後、バリア駆動リング６１の傾斜カム面６１ａ２が直進筒４９の傾斜カム面４９ａ２に沿って摺動し、傾斜カム面６１ａ２と傾斜カム面４９ａ２とが図６（ｂ）に示す係合状態となるまでバリア駆動リング６１が時計周り方向に回転して停止する。このとき、バリア羽根６０が全閉状態となる。ここで、本実施形態では、直進筒４９の傾斜カム面４９ａ１に対するバリア駆動リング６１の傾斜カム面６１ａ１の摺動距離は、傾斜カム面４９ａ２に対する傾斜カム面６１ａ２の摺動距離より長く設定されている。
【００４５】
以上説明したように、本実施形態では、バリア駆動リング６１の回転の大部分は、傾斜角度の小さい傾斜カム面６１ａ１，４９ａ１の摺動により行われるので、光軸方向の移動量βは少なくて済む。ここで光軸方向の移動量は、図７のβ（ａ）＞図６のβ＞図８のβ（ｂ）となり、レンズ鏡筒１０の小型化を図ることができる。
【００４６】
また、本実施形態では、バリア羽根６０の閉じ状態では、傾斜角度の大きい傾斜カム面６１ａ２，４９ａ２同士が係合するので、バリア羽根６０の全閉状態に確実に維持することができる。
【００４７】
なお、本発明の構成は、上記実施形態に例示したものに限定されるものではなく、材質、形状、寸法、形態、数、配置箇所等は、本発明の要旨を逸脱しない範囲において適宜変更可能である。
【００４８】
例えば、バリア羽根６０を駆動する負荷が開閉動作の間で一定でない場合は、負荷の大きさに応じて、傾斜カム面６１ａ１，４９ａ１及び傾斜カム面６１ａ２，４９ａ２の傾斜角度を増減させてもよい。
【００４９】
つまり、バリア羽根６０の駆動負荷が大きい領域で傾斜角度を大きくし、バリア羽根６０の駆動負荷が小さい領域では傾斜角度を小さくすることで、確実にバリア羽根６０を開閉動作させることができる。
【００５０】
また、上記実施形態では、直進筒４９のカム片４９ａ及びバリア駆動リング６１のカム片６１ａの両方にそれぞれ互いに異なる傾斜角度の複数の傾斜カム面を設けているが、これに限定されない。
【００５１】
すなわち、本発明では、直進筒４９のカム片４９ａ及びバリア駆動リング６１のカム片６１ａの少なくとも一方に互いに異なる傾斜角度の複数の傾斜カム面を設けることで、上記実施形態と同様の効果を得ることができる。
【符号の説明】
【００５２】
４９  直進筒
４９ａ  カム片
４９ａ１，４９ａ２  傾斜カム面
６０  バリア羽根
６１  バリア駆動リング
６１ａ  カム片
６１ａ１，６１ａ２  傾斜カム面
【図１】
2013156532.tif 000003
【図２】
2013156532.tif 000004
【図３】
2013156532.tif 000005
【図４】
2013156532.tif 000006
【図５】
2013156532.tif 000007
【図６】
2013156532.tif 000008
【図７】
2013156532.tif 000009
【図８】
2013156532.tif 000010